(57)【特許請求の範囲】
【請求項１】
室外機の空気流通口が雪によって塞がれるのを防止する室外機防雪フードであって、
室外機に取り付けるための係止部（Ｃ2）と、
前記室外機防雪フード（３）の外形を形づくる少なくとも１枚の板（３ａ）に、室外機に取り付ける際に下方に突き出る態様で形成され、前記係止部（Ｃ2）に嵌め入れられる係止爪（Ｃ1）と
室外機防雪フード（３）の外形を形づくる少なくとも１枚の板（３ｄ）に設けられた、室外機への取付用のねじ取付部（Ｄ1）と
を備え、
前記係止部（Ｃ2）は、室外機本体（１０）に取付けられるフード取付ステー（５）に設けられ、
前記係止爪（Ｃ1）は、前記係止爪（Ｃ1）と前記係止爪（Ｃ1）が形成された前記板（３ａ）との間に前記係止部（Ｃ2）の縁を挟み込むようにして前記係止部（Ｃ2）に嵌め入れられ、
前記係止爪（Ｃ1）は、前記係止爪（Ｃ1）を前記係止部（Ｃ2）に嵌め入れた仮止めの状態で前記室外機防雪フード（３）の上端に位置する部分に設けられ、
前記係止爪（Ｃ1）を前記係止部（Ｃ2）に仮止めにした状態で前記ねじ取付部（Ｄ1）のねじ止めを行う、室外機防雪フード。
【請求項２】
前記係止爪（Ｃ1）は２段に折り曲げられている、請求項１記載の室外機防雪フード。
【発明の詳細な説明】
【０００１】
【発明の属する技術分野】
本発明は、空気調和機の室外機の空気吸込口および空気吸込口が雪で塞がれないように保護する室外機防雪フードに関する。
【０００２】
【従来の技術】
図９は、従来の防雪フード付き室外機１００を組み立てる作業を説明する模式図である。室外機本体１１０には天板１０６が配置され、その天板に取付ステー１０４がねじで取り付けられる。この取付ステー１０４の上部には、室外機の吹出口１１１を降雪から保護するための上部防雪フード１０１が搭載される。また、室外機本体１１０の側方および後方には吸込口１１２，１１３が設けられているが、この吸込口を保護するため、側方防雪フード１０２および後方防雪フード１０３が室外機本体に取り付けられる。側方防雪フードは、側面ステー１０５を上記天板１０６に取り付けた上で、その側面ステーに取り付けられる場合もある。防雪フード付き室外機１００の現地での組み立てに際して、従来は、もっぱらねじを用いていた。
【０００３】
【発明が解決しようとする課題】
防雪フード付き室外機の現地組立てにおいて、上記のようにねじを用いての取り付けを行うと、多くのねじ本数を用いるために、長時間の組立て時間を要していた。また、上部防雪フード１０１が取り付けられる取付ステー１０４には、突風等に起因する大きな荷重に耐える構造とする必要がある。しかし、上記荷重に耐える構造を採用すると、現地溶接が必要となり、組立て作業のコストが高価になってしまう。その上、側方防雪フード取り付けのために、側面ステー１０５のような取付ステーが必要となる。また、上記の上部防雪フード等は重く、仮止めなどを活用しないと１人作業では組立てを遂行できない。さらに、上記取付ステー１０４を室外機にねじ止めにより取り付ける際に、内側にナットを配置する必要があるが、狭い箇所であり、ナット止めに難渋して作業能率が低下する場合があった。
【０００４】
そこで、本発明は、一人作業でも現地組立てを簡便容易に行うことができる、安価で耐久性のある室外機防雪フードを提供することを目的とする。
【０００５】
【課題を解決するための手段】
本発明の室外機防雪フードは、室外機の空気流通口が雪によって塞がれるのを防止する室外機防雪フードである。この室外機防雪フードは、室外機に取り付けるための係止部と、室外機防雪フードの外形を形づくる少なくとも１枚の板に、室外機に取り付ける際に下方に突き出る態様で形成され、係止部に嵌め入れられる係止爪と、室外機防雪フードの外形を形づくる少なくとも１枚の板に設けられた、室外機への取付用のねじ取付部とを備えている。係止爪は、係止爪と係止爪が形成された板との間に係止部の縁を挟み込むようにして係止部に嵌め入れられる。係止爪は、係止爪を係止部に嵌め入れた仮止めの状態で室外機防雪フードの上端に位置する部分に設けられている。係止爪を係止部に仮止めにした状態でねじ取付部のねじ止めを行う（請求項１）。
【０００６】
上記構成により、室外機への室外機防雪フードの取り付けは、係止部とその係止部に嵌め入れられる係止爪とを備えているので、例えば、仮止めを上記の係止部と係止爪を用いて行うことができる。後の取り付けは、仮止め状態で許容されるずらし範囲内で位置合わせを行い、ねじ取付部のねじ止めを行うことができる。この結果、従来、２人作業でなければ取り付けることができなかった防雪フードを一人作業によって取り付けることができるようになる。
また、係止部は、室外機本体に取付けられるフード取付ステーに設けられ、そのフード取付ステーは、天板を室外機に取り付ける取付ねじを活用して、室外機に取り付けることができることから、室外機本体には係止孔のような大きな孔を設けることなく、フード取付ステーに係止部を設けることにより、室外機防雪フードを室外機に取り付けることができる。
【０００７】
上記の係止爪は別個の部材を板に取り付けてもよいが、板から打ち抜かれて起こされた爪とするほうが簡便に形成することができ、かつ係止部の縁を係止爪と係止爪が起こされた板との間に挟むことができるので、望ましい。係止部としては、係止孔、爪受入れ部、等の係止爪を係止させるものであれば何でも用いることができる。
【０００８】
上記本発明の室外機防雪フードでは、係止爪は２段に折り曲げられていることが好ましい（請求項２）。
【０００９】
係止爪は２段に折り曲げられていることで、係止爪の係止部への嵌め入れが非常に容易化される。
【００２９】
【発明の実施の形態】
次に、図面を用いて本発明の実施の形態について説明する。
【００３０】
（実施の形態１）
図１および図２は、本発明の実施の形態１における防雪フードを構成する板を示す図である。これらの板によって組み上げられた防雪フードの例として、例えば、図３に示す側方防雪フード３を挙げることができる。図１は、上記側方防雪フードの２枚の側板３ｃ，３ｄを示し、図２は、その側板に取り付けられる天板３ａおよび前板３ｂを示す図である。図１の側板３ｃ，３ｄには、折曲げフランジ３ｆが形成され、天板や前板が取り付けられる折曲げフランジには、係止部である係止孔Ａ2およびねじ孔Ｂ2、Ｂ3が設けられている。側方防雪フード３ｃには、上記折曲げフランジの他に、後方防雪フード４との連結のために折曲げフランジ３ｇが設けられ、その折曲げフランジ３ｇに、防雪フード連結部であるねじ孔Ｅ1が開けられている。側方防雪フード３ｄにも、折曲げフランジ３ｇに相当する配置の折曲げフランジ（図示せず）が設けられるが、この折曲げフランジには、室外機本体に取り付けるためのねじ孔（図４に示すねじ孔Ｄ1）が開けられる。
【００３１】
上記の折曲げフランジに設けられた係止孔Ａ2には、図２に示す前板３ｂの係止爪Ａ1が嵌め入れられ、係止結合部を形成する。また、図２に示すように、天板３ａと前板３ｂとは、天板の係止爪Ａ1が前板の係止孔Ａ2に嵌め入れられ、かつねじ孔Ｂ1とＢ2とＢ3とを重ねてねじ止めすることによって、結合される。天板３ａの上部のねじ孔Ｂ1は、図１に示す側板のねじ孔Ｂ2と重ねられねじ止めされる。このように、天板と前板と側板とを分離することにより、梱包発送時の荷姿を小さくすることができる。また、この分離した天板と前板との組立てに、係止結合部とねじ結合部とを併用することにより、位置合わせの容易化やねじ止め時間の短縮等を通じて作業能率を向上させることが可能となる。
【００３２】
上記防雪フードにおいて、特筆する構造は、天板３ａに設けられた係止爪Ｃ1である。この係止爪Ｃ1は、室外機または室外機に取り付けられるフード取付ステーに設けられる係止部に嵌め入れられることにより、係止結合取付部を形成する。この係止結合取付部を用いることにより、防雪フードを仮止めなどして、位置合わせの時間を短縮したり、作業効率を向上させることができる。また、従来、防雪フードのような重量物のねじ孔の位置合わせには二人作業を要したが、上記係止爪の嵌め入れによる仮止めによって、位置合わせを一人で行うことが可能となる。
【００３３】
（実施の形態２）
図３は、本発明の実施の形態における防雪フード付き室外機の斜視図である。また、図４は、上記室外機から防雪フードを引き離した状態の斜視図である。
この防雪フード付き室外機１は、吹出口２２を保護する上部防雪フード２と、側部吸込口２３を保護する側方防雪フード３と、後方吸込口２４を保護する後方防雪フード４とを備えている。図３および図４において、室外機の天板２５の縁に載るように、フード取付ステー５が室外機本体に取り付けられる。このフード取付ステー５に開けられた係止孔Ｃ2に、防雪フードの係止爪Ｃ1が嵌め入れられる。ただし、上部防雪フード２は、フード取付ステー５にねじ止めされる。また、フード取付ステー５は、それ単独で室外機本体に取り付けられてもよいし、上部防雪フードが取り付けられた状態のフード取付ステーが、室外機本体に取り付けられてもよい。フード取付ステー５の室外機本体１０へのねじ止めは、当該フード取付ステー５に設けられたねじ孔Ｄ1と室外機本体に設けられたねじ孔Ｄ2を重ねてねじ止めすることにより行う。このねじ止めは、室外機コーナ部のねじ止めが困難であるので、図５において詳述するように、特別の保持部付きの雌ねじを用いる。
【００３４】
上記のフード取付ステーの下方のそれぞれの側方に２個の係止孔Ｃ2が設けられており、その係止孔Ｃ2に側方防雪フード３の係止爪Ｃ1が嵌め入れられる。また、上記フード取付ステー５の下方後部端にも、同じように係止孔Ｃ2が設けられ、後方防雪フード４の上部両端に設けられた係止爪Ｃ1がその係止爪に嵌め入れられる。これら防雪フードに設けられた係止爪のフード取付ステーの係止孔への嵌め入れにより、防雪フードの仮止めが可能となり、ねじ止めのみの場合に必要な重量物のねじの位置合わせが非常に容易化される。このため、従来、２人を要した上記位置合わせ作業が不要となり、防雪フードを一人で仮止めし、取り付けることが可能となった。
【００３５】
上記のフード取付ステー５には、転倒防止用のワイヤ（図示せず）が通される孔５ａが開けられ、突風等により強い力が防雪フード付き室外機にかかったときに姿勢を安定に保つことに役立つ。転倒防止用のワイヤは、防雪フードの前後にそれぞれ設けられたアンカにそれぞれの端を結ばれ、フード取付ステー内に設けられたピン（図示せず）に巻き付けられたうえで、上記の孔５ａに通されている。このフード取付ステーに取り付けられる上部防雪フードは、下部（前方）がフードによって覆われていない開放部とされている。このため、突風が後方からこの上部防雪フードに吹き込んでも、そのまま抜けるようにされ、突風によって大きな応力が発生しないようにされている。
【００３６】
また、側方防雪フードの一方の折曲げフランジ３ｇには、後方防雪フード４との連結のための防雪フード連結部であるねじ孔Ｅ1が開けられている。このねじ孔Ｅ1に対応する後方防雪フード４の折曲げフランジは２段に折り曲げられ、２段目のフランジ部が、上記側方防雪フードの折曲げフランジ３ｇに当接する。後方防接フードの２段目のフランジ部に開けられたねじ孔Ｅ2と上記ねじ孔Ｅ1とが重ねられて、ねじ止めされ、側方防接雪フードと後方防雪フードとは互いに連結され、剛性等を向上され、耐久性の向上がはかられる。上記の後方防雪フードの１段目のフランジ部には、室外機本体への取付用のねじ取付部（図示せず）が設けられている。
【００３７】
上記のように、フード取付ステーは、上部吹出口防雪フードの取り付け容易化や側方吸込口防雪フードや後方吸込口防雪フードの仮止め等に用いられるが、その他に、上部吹出口防雪フードの強度を補強する作用も有する。このフード取付ステー５は、上記の防雪フード付き室外機において中心的役割を果たすが、室外機のコーナ部にねじを用いて取り付けるため、位置合わせに難渋する場合が多い。このため、上記位置合わせを容易化するための、図５に示す金具を用いてねじ止めを行う。図５において、コ字状金具Ｄ6は、保持部Ｄ5と雌ねじ部Ｄ4とを有する。上部吹出口防雪フード２が取り付けられたフード取付ステー５は、そのねじ孔Ｄ1を室外機本体に設けられたねじ孔Ｄ2に重ねられ、雄ねじＤ3を挿入され、室外機本体の内側に配置される雌ねじに螺合される、固定される。しかし、この螺合において、小さな雌ねじを室外機本体のコーナ部内側に配置することは、非常に難しい。そこで、図５に示すような、端部を面取り加工して精度を上げたコ字状金具Ｄ6の保持部Ｄ5をもって、室外機本体の内側端面に押し当てて、雌ねじ部をねじ孔Ｄ2に重ねることが容易となり、上記螺合を高能率化することができる。上記のコ字状金具の場合、室外機本体の内側コーナ部の各面に当接させて位置合わせを直ちに得られるようにしてある。すなわち、雌ねじが設けられている面とその面に隣接する中央面との境界の辺から雌ねじ軸芯にいたる距離、およびコ字の側辺から軸芯にいたる距離が、いずれも室外機本体の内面コーナにおける対応する各内面からねじ孔Ｄ2にいたる距離に合致している。
【００３８】
図６は、側方防雪フード３および後方防雪フードの係止爪Ｃ1をフード取付ステー５の係止孔Ｃ2に嵌め合わせる仕方を示す図である。各防雪フードの係止爪Ｃ1は、下方を向いて図中の矢印の方向に突き出ており、一人作業によってこの係止爪をフード取付ステー５の係止孔Ｃ2に容易に嵌め入れ、係止結合部Ｃを形成することができる。
【００３９】
図７は、上記嵌め入れられた係止結合部Ｃをフード取付ステーの内側から見た図である。側方防雪フードの天板３ａから打ち抜かれて根元３ａ/Ｃ1から起こされた係止爪Ｃ1は係止孔Ｃ2の縁５/Ｃ2を挟み、この係止結合部Ｃによって防雪フードを仮止めしている。また、図８は、図７におけるＸ-Ｘ断面図である。係止爪Ｃ1の断面形状を、図８に示すように、２段に折り曲げることにより、係止爪の係止孔への嵌め入れが非常に容易化される。
【００４０】
上記において、本発明の実施の形態について説明を行なったが、上記に開示された本発明の実施の形態は、あくまで例示であって、本発明の範囲はこれらこれら発明の実施の形態に限定されない。本発明の範囲は、特許請求の範囲の記載によって示され、さらに特許請求の範囲の記載と均等の意味および範囲内でのすべての変更を含む。
【００４１】
【発明の効果】
本発明を用いることにより、一人作業でも現地組立てを簡便容易に行うことができ、安価な耐久性のある室外機防雪フードおよび防雪フード付き室外機を提供することができる。
【図面の簡単な説明】
【図１】  実施の形態１における（側方）防雪フードの側板を示す図である。（ａ）は左側板であり、（ｂ）は右側板である。
【図２】  実施の形態１における(側方）防雪フードの天板と前板とを示す図である。（ａ）は天板、（ｂ）はその縦断面図、（ｃ）は前板、（ｄ）はその縦断面図である。
【図３】  実施の形態２における防雪フード付き室外機を示す図である。
【図４】  図３において防雪フードを引き離した状態の防雪フード付き室外機を示す図である。
【図５】  フード取付ステーを室外機本体に取り付ける際に、保持部付き雌ねじのコ字状金具を用いる方法を説明する図である。
【図６】  防雪フードに設けた係止爪をフード取付ステーに嵌め合わせる方法を説明する図である。
【図７】  フード取付ステーの係止孔と防雪フードの係止爪とによって形成される係止結合部をフード取付ステーの内側から見た図である。
【図８】  図７におけるＸ-Ｘ断面図である。
【図９】  従来の防雪フード付き室外機を説明する図である。
【符号の説明】
１  防雪フード付き室外機、２  上部防雪フード、３  側方防雪フード、３ａ天板、３ｂ  前板、３ｃ  側板、３ｆ，３ｇ  折曲げフランジ部、Ａ  防雪フード内の係止結合部、Ａ1  係止爪、Ａ2  係止孔、Ｂ  防雪フード内のねじ結合部、Ｂ1，Ｂ2，Ｂ3  ねじ孔、Ｃ  防雪フードと取付ステーとの係止結合部、Ｃ1係止爪、Ｃ2  係止孔、Ｄ  防雪フードと室外機本体またはフード取付ステーとのねじ結合部、Ｄ1，Ｄ2  ねじ孔、Ｄ3  雄ねじ、Ｄ4  雌ねじ、Ｄ5  保持部、Ｄ6  コ字状金具、Ｅ  防雪フード間のねじ連結部、Ｅ1，Ｅ2  ねじ孔、４  後方防雪フード、５  フード取付ステー、５ａ  転倒防止金具取付用孔、１０  室外機本体、２２  上部吹出口、２３  側方吸込口、  ２４  後方吸込口、２５天板、３ａ/Ｃ1  係止爪Ｃ1の根元、５/Ｃ2  係止孔Ｃ2の縁。
【図１】
0004707210.tif 000002
【図２】
0004707210.tif 000003
【図３】
0004707210.tif 000004
【図４】
0004707210.tif 000005
【図５】
0004707210.tif 000006
【図６】
0004707210.tif 000007
【図７】
0004707210.tif 000008
【図８】
0004707210.tif 000009
【図９】
0004707210.tif 000010